(57)【特許請求の範囲】
【請求項１】
軸筒と、前記軸筒の前端に固着されたペン体と、前記軸筒内に収容され、前記ペン体の後端部が一端に接続され且つ内部に熱変色性インキが含浸された繊維束製のインキ吸蔵体とを備えた熱変色性筆記具であって、
前記インキ吸蔵体が、細デニール繊維束と、前記細デニール繊維束の単糸繊度より大きい単糸繊度を有する太デニール繊維束とからなり、前記細デニール繊維束の中の複数箇所に、前記太デニール繊維束からなるインキ保溜部を分散配置させたことを特徴とする熱変色性筆記具。
【請求項２】
前記ペン体の後端部が、前記インキ吸蔵体の細デニール繊維束に接続される請求項１記載の熱変色性筆記具。
【請求項３】
前記各々のインキ保溜部の横断面形状が異なる請求項１または２記載の熱変色性筆記具。
【発明の詳細な説明】
【技術分野】
【０００１】
本発明は、熱変色性筆記具に関する。詳細には、熱変色性インキをインキ吸蔵体に含浸させた中綿式の熱変色性筆記具に関する。
【背景技術】
【０００２】
従来、この種の熱変色性筆記具において、例えば、特許文献１には、可逆熱変色性水性インキ組成物を繊維収束体よりなるインキ吸蔵体に含浸させた熱変色性筆記具が開示されている。
【先行技術文献】
【特許文献】
【０００３】
【特許文献１】特開２０１１−３８０４８号公報
【発明の概要】
【発明が解決しようとする課題】
【０００４】
前記特許文献１の熱変色性筆記具は、特定配合の熱変色性水性インキ組成物により、ペン体上向き状態での保管や輸送によっても筆跡の淡色化を抑えるものである。しかし、前記特許文献１の熱変色性筆記具は、インキ保持力が弱いペン体（例えば、合成樹脂押出成形製ペン体、毛筆ペン体等）を採用した場合、ペン体上向き状態での保管や輸送によって筆跡の淡色化を回避することは困難である。
【０００５】
本発明は前記従来の問題点を解決するものであって、ペン体上向き状態での保管や輸送によっても筆跡の淡色化を確実に回避し、安定したインキ吐出性が長期にわたり維持できる中綿式の熱変色性筆記具を提供しようとするものである。
【０００６】
尚、本発明において、「前」とはペン体側を指し、「後」とはその反対側を指す。
【課題を解決するための手段】
【０００７】
本願の第１の発明は、軸筒２と、前記軸筒２の前端に固着されたペン体３と、前記軸筒２内に収容され、前記ペン体３の後端部が一端に接続され且つ内部に熱変色性インキが含浸された繊維束製のインキ吸蔵体４とを備えた熱変色性筆記具であって、前記インキ吸蔵体４が、細デニール繊維束４１と、前記細デニール繊維束４１の単糸繊度より大きい単糸繊度を有する太デニール繊維束４２とからなり、前記細デニール繊維束４１の中の複数箇所に、前記太デニール繊維束４２からなるインキ保溜部を分散配置させたことを要件とする。
【０００８】
前記第１の発明の熱変色性筆記具１は、前記インキ吸蔵体４が、細デニール繊維束４１と、前記細デニール繊維束４１の単糸繊度より大きい単糸繊度を有する太デニール繊維束４２とからなり、前記細デニール繊維束４１の中の複数箇所に、前記太デニール繊維束４２からなるインキ保溜部を分散配置させたことにより、ペン体上向き状態での保管や輸送よってペン体３内部の熱変色性インキが下降しても、ペン体３を下向きにして筆記する際には、前記複数箇所のインキ保溜部内に貯溜された熱変色性インキが迅速にペン体３に供給されるため、筆跡の淡色化を確実に回避し、安定したインキ吐出性が長期にわたり維持できる。
仮に、前記インキ保溜部が細デニール繊維束４１の中に１箇所のみ存在する場合または存在しない場合、ペン体上向き状態での保管や輸送よってペン体３内部の熱変色性インキが下降すると、ペン体３を下向きにして筆記する際、熱変色性インキが迅速にペン体３に供給されず、筆跡の淡色化が生じるおそれがある。
【０００９】
本願の第２の発明の熱変色性筆記具１は、前記第１の発明の熱変色性筆記具１において、前記ペン体３の後端部が、前記インキ吸蔵体の細デニール繊維束４１に接続されることを要件とする。
【００１０】
前記第２の発明の熱変色性筆記具１は、前記ペン体３の後端部が、前記インキ吸蔵体４の細デニール繊維束４１に接続されることにより、筆記時、前記各々のインキ保溜部内の熱変色性インキを前記細デニール繊維束４１を介してペン体３に円滑に供給することができる。尚、前記ペン体３の後端部は、少なくともその一部が細デニール繊維束４１に接続されていればよい。
【００１１】
本願の第３の発明は、前記第１または第２の発明の熱変色性筆記具１において、前記各々のインキ保溜部の横断面形状が異なることを要件とする。
【００１２】
前記第３の発明の熱変色性筆記具１は、前記各々のインキ保溜部の横断面形状が異なることにより、インキ吸蔵体４内の熱変色性インキの保溜状態が均一とならず、ペン体下向き時に、各々のインキ貯溜部から順次インキがペン体３に安定して供給される。それにより、より一層、ペン体上向き状態での保管や輸送によっても筆跡の淡色化を回避でき、安定したインキ吐出性が長期にわたり維持できる。
【発明の効果】
【００１３】
本発明の熱変色性筆記具は、ペン体上向き状態での保管や輸送によっても筆跡の淡色化を確実に回避し、安定したインキ吐出性が長期にわたり維持できる中綿式の熱変色性筆記具を得る。
【図面の簡単な説明】
【００１４】
【図１】本発明の実施の形態の筆記具の縦断面図である。
【図２】図１のキャップを取り外した状態の縦断面図である。
【図３】図１の要部拡大図である。
【図４】図３の Ａ−Ａ線断面図である。
【図５】図３のＢ−Ｂ線断面図である。
【発明を実施するための形態】
【００１５】
本発明の筆記具の実施の形態を図面に従って説明する。（図１乃至図５参照）
【００１６】
本発明の熱変色性筆記具１は、軸筒２と、前記軸筒２の前端に固着されたペン体３と、前記軸筒２内に収容され且つ前記ペン体３の後端部と接続されるインキ吸蔵体４と、前記軸筒２のペン体３を密封するキャップ５とを備える。
【００１７】
・軸筒
前記軸筒２は、ペン体３が前端に固着された円筒状の前軸２１と、該前軸２１の後端開口部が結合される有底円筒状の後軸２２とからなる。前記前軸２１及び前記後軸２２は、合成樹脂の射出成形体により得られる。前記前軸２１及び前記後軸２２は、圧入嵌合または螺合により結合される。
【００１８】
前記前軸２１の内壁には前側段部２１ａが一体に形成され、前記前側段部２１ａに前記インキ吸蔵体４の前端が当接される。前記後軸２２の内壁には後側段部２２ａが一体に形成され、前記後側段部２２ａに前記インキ吸蔵体４の後端が当接される。前記前側段部２１ａ及び後側段部２２ａは、軸方向に延びる複数のリブの端部により形成される。
【００１９】
前記前軸２１の前端部は先細状に形成され、その前端には取付孔２１ｂが貫設される。前記取付孔２１ｂにペン体３が圧入固着される。前記ペン体３は、支持部材３１を介して前記取付孔２１ｂに圧入固着されるが、これ以外に直接、前記取付孔２１ｂに圧入固着されてもよい。前記ペン体３外面と前記取付孔２１ｂの内面または前記支持部材３１の外面と前記取付孔の内面に、外気と連通可能な空気通路が形成される。また、前記インキ吸蔵体４の外面と、軸筒２の内面（前軸２１内面及び後軸２２内面）との間には、外気と連通可能な空気通路が形成される。
【００２０】
・インキ吸蔵体
前記インキ吸蔵体４は、合成樹脂製繊維束（例えばポリエステル繊維束）と、その外周を包囲する円筒状の外皮４３とからなる。前記外皮４３は合成樹脂製筒状体（例えば、ポリプロピレン樹脂の押出成形体）よりなる。前記インキ吸蔵体４に熱変色性インキが含浸保持される。
【００２１】
前記合成樹脂製繊維束は、細デニール繊維束４１と、該細デニール繊維の単糸繊度より大きい単糸繊度を有する複数の太デニール繊維束４２とからなる。本実施の形態の前記細デニール繊維束４１の単糸繊度は、２〜４デニールの範囲から選ばれ、前記太デニール繊維束４２の単糸繊度は、１５〜２０デニールの範囲から選ばれる。前記細デニール繊維束４１の中の複数箇所（具体的には２〜６箇所）に、前記太デニール繊維が分散配置される。前記太デニール繊維束４２が比較的大きい空隙を有し、前記細デニール繊維束４１が比較的小さい空隙を有する。前記太デニール繊維束４２が多量のインキを保持するインキ保溜部を構成し、前記細デニール繊維束４１が前記各々のインキ保溜部の相互間を接続するインキ接続部を構成する。前記各々の太デニール繊維束４２が前記細デニール繊維束４１により包囲される。前記太デニール繊維により形成されるインキ保溜部の各々は、異なる横断面形状を有する。
【００２２】
また、前記太デニール繊維束４２（インキ貯溜部）の各々は、インキ吸蔵体４の軸心から径方向に離れた部分に分散配置され、少なくとも、ペン体３の後端部が接続されるインキ吸蔵体４の軸心部には、前記細デニール繊維束４１が位置される。前記太デニール繊維束４２により形成されるインキ保溜部の各々は、前記外皮４３の内面に接触している。前記太デニール繊維束４２の各々は、前記細デニール繊維束４１によって径方向外方に押圧されることにより、前記外皮４３の内面に圧接され、前記太デニール繊維束４２のインキ吸蔵体４内の移動が防止される。
【００２３】
前記インキ吸蔵体４の繊維全体の占有断面積に対する太デニール繊維束４２の占有断面積の割合は、３５％〜６０％（好ましくは５０％〜６０％）の範囲に設定される。前記範囲により、安定した適正量のインキ吐出性が得られる。前記インキ吸蔵体４の繊維全体の占有断面積に対する太デニール繊維束４２の占有断面積の割合が３５％より小さいと、ペン体３からのインキ吐出性が不十分となり、一方、前記インキ吸蔵体４の繊維全体の占有断面積に対する太デニール繊維の占有断面積６０％より大きいと、ペン体３からのインキ吐出性が過剰となる。
【００２４】
・ペン体
前記ペン体３は、合成樹脂の押出成形体または繊維の樹脂加工体により得られる。前記合成樹脂の押出成形体からなるペン体３は、毛細管力を有する軸方向に延びる複数のインキ導出孔を有する。前記繊維の加工体からなるペン体３は、毛細間隙からなるインキ導出路を備え、前端が毛筆状に形成される。
【００２５】
前記ペン体３の後端部はインキ吸蔵体４の前端部に突き刺し接続される。前記ペン体３の後端部はインキ吸蔵体４の細デニール繊維束４１に接続される。前記ペン体３からの熱変色性インキの過剰流出を防止するために、前記ペン体３の後端部はインキ吸蔵体４の太デニール繊維束４２に非接続であることが好ましい。
【００２６】
・キャップ
前記キャップ５は、円筒状の外キャップ５１と該外キャップ５１内面に固着される有底円筒状の内キャップ５２とからなる。前記外キャップ５１が、前記軸筒２の中間部外面（前軸２１の外面）に着脱自在に嵌合され、前記内キャップが、前記軸筒の前端部外面（前軸に前端部外面）に気密嵌合される。前記キャップ５の頂部（前記外キャップ５１の頂部）には、弾性材料（例えば、ＳＥＢＳ樹脂、シリコーン樹脂等）からなる摩擦体６が固着される。前記摩擦体６によって、紙面上の熱変色性インキの筆跡を摩擦すると、該摩擦時に生じる摩擦熱により熱変色性インキの筆跡を熱変色させることができる。尚、前記摩擦体６は、軸筒２の後端に固着することも可能である。
【００２７】
・熱変色性インキ
前記熱変色性インキは、熱変色性マイクロカプセル顔料を用いたものであり、（イ）電子供与性呈色性有機化合物、（ロ）電子受容性化合物、（ハ）前記両者の呈色反応の生起温度を決める反応媒体からなる可逆熱変色性組成物を内包させた可逆熱変色性マイクロカプセル顔料を含む水性インキ組成物が採用される。前記熱変色性インキは、加熱により消色するタイプ、または加熱により発色するタイプが挙げられる。なお、前記熱変色性インキの代わりに、一般顔料（カーボンブラック、無機顔料、有機顔料）、蛍光顔料、二酸化チタン等の白色顔料、パール顔料、コレステリック液晶型光輝性顔料、光変色性組成物や香料等を内包したマイクロカプセル顔料等を、本願で採用したインキ吸蔵体４に含浸させることによっても、ペン体上向き状態での保管や輸送によっても筆跡の淡色化を確実に回避し、安定したインキ吐出性が長期にわたり維持できる中綿式の筆記具を得ることができる。
【００２８】
・作用
本実施の形態の熱変色性筆記具１は、前記インキ吸蔵体４が、細デニール繊維束４１と、該細デニール繊維束４１の単糸繊度より大きい単糸繊度を有する太デニール繊維束４２とからなり、前記細デニール繊維束４１の中の複数箇所に、前記太デニール繊維束４２からなるインキ保溜部を分散配置させたことにより、ペン体３上向き状態での保管や輸送よってペン体３内部の熱変色性インキが下降しても、ペン体３を下向きにして筆記する際には、前記複数箇所のインキ保溜部内に貯溜された熱変色性インキが迅速にペン体３に供給されるため、インキ保持力が弱いペン体（例えば、合成樹脂の押出成形体または繊維の樹脂加工体によりなるペン体等）を採用した場合でも、筆跡の淡色化を回避し、安定したインキ吐出性が長期にわたり維持できる。
【００２９】
本実施の形態の熱変色性筆記具１は、前記ペン体３の後端部が、前記インキ吸蔵体４の細デニール繊維束４１に接続されることにより、筆記時、熱変色性インキをペン体３に円滑に供給することができる。
【００３０】
本実施の形態の熱変色性筆記具１は、前記各々のインキ保溜部の横断面形状が異なることにより、熱変色性インキの保溜状態が均一とならず、ペン体３下向き時に、各々のインキ貯溜部から順次インキがペン体３に安定して供給される。それにより、より一層、ペン体３上向き状態での保管や輸送によっても筆跡の淡色化を回避でき、安定したインキ吐出性が長期にわたり維持できる。
【符号の説明】
【００３１】
１  熱変色性筆記具
２  軸筒
２１  前軸
２１ａ  前側段部
２１ｂ  取付孔
２２  後軸
２２ａ  後側段部
３  ペン体
３１  支持部材
４  インキ吸蔵体
４１  細デニール繊維束
４２  太デニール繊維束
４３  外皮
５  キャップ
５１  外キャップ
５２  内キャップ
６  摩擦体
【図１】
0006560598.tif 000002
【図２】
0006560598.tif 000003
【図３】
0006560598.tif 000004
【図４】
0006560598.tif 000005
【図５】
0006560598.tif 000006